(57)【要約】      （修正有）【課題】昇降コードを互い畳重ならないように整然に巻き取ったりスムーズに繰り出したりすることができる巻取り装置、特に該巻取り装置付き横型カーテンを提供する。【解決手段】巻取り装置１の正反転により、左右方向に延伸している上下両レールの間に昇降コード１４を介して吊下支持されているカーテン体が昇降できるように構成されている巻取り装置付き横型カーテンにおいて、巻取り装置は、回転軸１１と、長棒状であって回転軸と共に正反転することができ、その一端に昇降コードの一端が繋がっているねじ棒１２と、雌ねじ付き通孔１３０が形成してあり、且つ、案内手段１３３が設けられ、該案内手段を昇降コードの一端が通過する昇降コード案内ブロック１３とを備える。ねじ棒と昇降コード案内ブロックとが、ねじ棒が回転されるとその中の一つが他の一つに対し左右移動することができるように構成されている。【選択図】  図２
2005146736.tif 000002
【特許請求の範囲】
【請求項１】
巻取り装置の正反転により、左右方向に延伸している上下両レールの間に昇降コードを介して吊下支持されているカーテン体が昇降できるように構成されている巻取り装置付き横型カーテンにおいて、
前記巻取り装置は、
前記上下両のレールのいずれかに左右方向に正反転可能に横架されている回転軸と、
長棒状であって前記回転軸にその長手方向に沿ってその全長を貫通されて該回転軸に対し回転不能に支持されていて前記回転軸と共に正反転することができ、且つ、前記支持により左右両端になったその両端の一端に前記昇降コードの一端が繋がっているねじ棒と、
雌ねじ付き通孔が形成してあり、該雌ねじ付き通孔によって前記ねじ棒に外嵌してそれと噛み合い、且つ、案内手段が設けられ、該案内手段が前記昇降コードの前記一端に通過されていてそれを案内する昇降コード案内ブロックとを備え、
そして、前記ねじ棒と前記昇降コード案内ブロックとが、前記ねじ棒が回転されるとその中の一つが他の一つに対し左右移動することができるように構成されていることを特徴とする巻取り装置付き横型カーテン。
【請求項２】
前記昇降コード案内ブロックは、前記雌ねじ付き通孔が形成してある立て板と、該立て板の周縁から前記回転軸の前記一端の方へ延伸してなっている前記通孔より大径の囲い板とを備え、且つ、該囲い板に案内孔が形成されていて前記案内手段とされることを特徴とする請求項１に記載の巻取り装置付き横型カーテン。
【請求項３】
前記巻取り装置を取り付けられているレールは、少なくとも左右方向にその上面が水平状に延伸している平板部と、該平板部の前後２側縁の一側縁に沿って上へ直立した壁板部とを有し、前記平板部の上面の前記ねじ棒の両端の外側にそれぞれ前記ねじ棒を左右から挟んで該ねじ棒の左右移動を阻止する止め板が設置固定されており、且つ、前記昇降コード案内ブロックが前記壁板部に前記ねじ棒と共に回転不能に係止されており、
それにより、前記回転軸が回転されると、前記ねじ棒が元の位置に該回転軸と共に回転する外、前記昇降コード案内ブロックが該回転軸上に沿って左右移動しながら、前記案内手段を経由して前記昇降コードを前記ねじ棒に巻き取ったりそれから繰り出したりすることができることを特徴とする請求項２に記載の巻取り装置付き横型カーテン。
【請求項４】
前記昇降コード案内ブロックは、前記壁板部と当接している平面を有し、該平面に該壁板部と該平面との間の摩擦力を減少する減摩手段が設けられていることを特徴とする請求項３に記載の巻取り装置付き横型カーテン。
【請求項５】
前記巻取り装置を取り付けられているレールは、少なくとも左右方向にその上面が水平状に延伸している平板部と、該平板部の前後２側縁の一側縁に沿って上へ直立した壁板部とを有し、前記昇降コード案内ブロックが前記壁板部に固定されており、
それにより、前記回転軸が回転されると、前記ねじ棒が該回転軸と共に回転しながら、前記昇降コード案内ブロックの雌ねじ付き通孔を通して左右移動し、前記案内手段を経由して前記昇降コードを前記ねじ棒に巻き取ったりそれから繰り出したりすることができることを特徴とする請求項２に記載の巻取り装置付き横型カーテン。
【請求項６】
前記回転軸は、前記上レールの平板部の上方に横架され、且つ、その前記両端の少なくとも一端に、該回転軸を回転するための操作コード付き滑車が付設されていることを特徴とする請求項３〜５のいずれかの一項に記載の巻取り装置付き横型カーテン。
【請求項７】
前記回転軸は、前記下レールの平板部の上方に横架され、且つ、その前記両端の少なくとも一端に、該回転軸を回転する回転ノブが付設されていることを特徴とする請求項３〜５いずれかの一項に記載の巻取り装置付き横型カーテン。
【発明の詳細な説明】
【技術分野】
【０００１】
本発明は、横型カーテンに関し、特に巻取り装置の制御によってカーテン体を上昇させたり降下させたりすることができる巻取り装置付き横型カーテンに関する。
【背景技術】
【０００２】
ロールスクリーン、ローマンシェードなどのカーテン体を吊下支持している昇降コードを操作コードを介して引いたり放したりすることによってカーテン体を昇降できる横型カーテンがよく知られている。米国特許第５３２８１１３号には、昇降コードを巻き取ったり繰り出したりする横型カーテン用の巻取り装置が開示されている。該横型カーテン用の巻取り装置は、長棒状であって左右方向にレールに架設されている巻取り軸の操作コードの操作による回転により、カーテン体を吊下支持している昇降コードを引いたり放したりしてカーテン体を昇降させるものである。
【０００３】
前記巻取り軸には、巻き取った前記昇降コードの分散を制限するための止め板が設置されている。前記昇降コードは一端が前記巻取り軸上の前記止め板とやや離れた箇所に締結されている。前記巻取り装置を横型カーテンに設置し、即ち巻取り装置付き横型カーテンとして使用する際、操作コードを引いたり放したりして前記巻取り軸を回転することにより、前記昇降コードを順次に前記巻取り軸の前記止め板と前記締結箇所との間に巻き付けたりまたはそれから繰り出したりする。
【０００４】
しかしながら、この巻取り装置付き横型カーテンは、前記操作コードを引いて前記カーテン体を繰り上げる時、前記止め板の近傍に巻き取る昇降コードがいつも前記締結箇所近傍のそれより緊密になり、延いては互いに畳重なったり絡んだりするので、前記昇降コードを繰り出そうとする時スムーズに釈放することができない虞れがある。
【発明の開示】
【発明が解決しようとする課題】
【０００５】
上記に鑑みて、本発明の目的は、昇降コードを互いに畳重ならないように整然と巻き取ったりスムーズに繰り出したりすることができる巻取り装置、特に該巻取り装置付き横型カーテンを提供しようとする。
【課題を解決するための手段】
【０００６】
前記目的を達成するために、本発明は、巻取り装置の正反転により、左右方向に延伸している上下両レールの間に昇降コードを介して吊下支持されているカーテン体が昇降できるように構成されている巻取り装置付き横型カーテンにおいて、前記巻取り装置は、前記上下両のレールのいずれかに左右方向に正反転可能に横架されている回転軸と、長棒状であって前記回転軸にその長手方向に沿ってその全長を貫通されて該回転軸に対し回転不能に支持されていて前記回転軸と共に正反転することができ、且つ、前記支持により左右両端になったその両端の一端に前記昇降コードの一端が繋がっているねじ棒と、雌ねじ付き通孔が形成してあり、該雌ねじ付き通孔によって前記ねじ棒に外嵌してそれと噛み合い、且つ、案内手段が設けられ、該案内手段が前記昇降コードの前記一端に通過されていてそれを案内する昇降コード案内ブロックとを備え、そして、前記ねじ棒と前記昇降コード案内ブロックとが、前記ねじ棒が回転されるとその中の一つが他の一つに対し左右移動することができるように構成されていることを特徴とする巻取り装置付き横型カーテンを提供する。
【発明の効果】
【０００７】
上記のように、本発明の巻取り装置付き横型カーテンにおけるねじ棒が回転軸の回転に連動されて回転すると、ねじ棒と昇降コード案内ブロックとがその中の一つが他の一つに対し左右移動することができるため、昇降コードがねじ棒の回転につれて該ねじ棒のねじ溝に嵌まるように整然と巻き取られたり、または前記ねじ棒のねじ溝から互いに絡まないように順次に脱着して繰り出されたりすることができるので、カーテン体をスムーズに昇降させることができる。
【発明を実施するための最良の形態】
【０００８】
以下、本発明の好ましい実施形態を詳しく説明する。なお、以下の説明においては、そのサイズに拘わらず、略同一の機能及び構成を有する構成要素については、同一符号を付し、重複説明は必要な場合にのみ行う。
【０００９】
図示からわかるように、本発明の巻取り装置付き横型カーテンの実施形態としては、よく見られている横型ブラインドに利用されているものが例示されている。このような横型カーテンは、巻取り装置の正反転により、左右方向に延伸しているヘッドレールとボトムレールに分ける上下両レールの間に昇降コードを介して吊下支持されているカーテン体（図示のはいずれも上下複数のスラットを左右平行に配列してなるもの）が昇降できるように構成されている。まず、図１から図３を参照しながら本発明の巻取り装置付き横型カーテンの第１の実施形態例を説明する。なお、図１から図３では、下方のレールについては図示を省略しているが、昇降コードの下端には重りを兼ねるボトムレールが固定されている。
【００１０】
該第１の実施形態例において、図示のように、巻取り装置１はヘッドレール２１に取り付けられている。該ヘッドレール２１は、左右方向にその上面が水平状に延伸している平板部２１１と、該平板部２１１の前後２側縁に沿って上へ直立した前後壁板部２１２，２１３とを有する。前記巻取り装置１は、前記ヘッドレール２１に左右方向に正反転可能に横架されている回転軸１１と、長棒状であって前記回転軸１１にその長手方向に沿ってその全長を貫通されて該回転軸１１に対し回転不能に支持されていて前記回転軸１１と共に正反転することができるねじ棒１２と、昇降コード案内ブロック１３とを備えている。
【００１１】
前記ねじ棒１２は、前記回転軸１１の支持によりなった左右両端の近傍に環状溝１２１，１２１がそれぞれ設けられており、且つ、該環状溝１２１，１２１により、前記平板部２１１の上面に固定されている２の止め板２３の上端縁に形成してある軸受孔としての上開口２３１の内周縁に嵌合されて回転可能に支持されている。即ち、該２の止め板２３は前記ねじ棒２１の両端の軸受けともされ、前記ねじ棒２１の左右遊動を阻止するための止め手段ともされている。また、前記ねじ棒１２の前記両端の一端近傍の環状溝１２１に昇降コード１４の一端が繋がっている。
【００１２】
前記昇降コード案内ブロック１３は、雌ねじ付き通孔１３０が形成してある立て板１３１と、該立て板１３１の周縁から前記回転軸１１の前記一端の方へ延伸してなっている前記通孔１３０より大径の囲い板１３２とを備えているものである。前記昇降コード案内ブロック１３は、前記雌ねじ付き通孔１３０によって前記ねじ棒１２に外嵌してそれと噛み合っている。且つ、前記昇降コード案内ブロック１３に案内手段１３３が設けられ、該案内手段１３３は例えば前記昇降コード１４を引っ掛ける鉤であって前記昇降コードの前記一端に通過されていてそれを案内するものであるが、図２と図３に示すのは、前記案内手段１３３として、前記囲い板１３２の前記平板部２１１寄りの箇所を貫通する案内孔が形成されている。
【００１３】
また、前記昇降コード１４の前記一端が前記平板部２１１、案内孔１３３を経由して前記ねじ棒１２の前記一端に締結している。また、前記昇降コード案内ブロック１３は、前記後壁板部２１３と当接している平面１３４を有し、該平面１３４によって前記後壁板部２１３に前記ねじ棒１２と共に回転不能に係止されている。それにより、前記回転軸１１が回転されると、前記ねじ棒１２が始終元の位置に該回転軸１１と共に回転する外、前記昇降コード案内ブロック１３が該回転軸１１上に沿って左右移動しながら、前記案内手段１３３を経由して前記昇降コード１４を前記ねじ棒１２に巻き取ったりそれから繰り出したりすることができる。
【００１４】
なお、該後壁板部２１３と該平面１３４との間の摩擦力を減少するため、前記昇降コード案内ブロック１３の該平面１３４には減摩手段１３５、例えばグラファイトグリースなどの減摩剤、またはテフロンなどからなる減摩材、ロールなどが設けられたり施されたりしている。
【００１５】
前記巻取り装置１の前記回転軸１１は、前記ヘッドレール２１の平板部２１１の上方に横架され、且つ、その前記両端の少なくとも一端に、該回転軸１１を回転するための操作コード（３２）付き滑車３１が付設されている。該巻取り装置付き横型カーテンが設置使用される時、操作コード３２を引いたり放したりして前記回転軸１１を回転することにより、前記昇降コード案内ブロック１３の案内孔１３３を経由して前記昇降コード１４を順次に前記ねじ棒１２のねじ溝に巻き付けたりまたはそれから繰り出したりして、カーテン体を昇降させることができる（図２、３に参照）。
【００１６】
次に、図４に示すのは前記第１の実施形態例の他の実施態様である。該実施態様の構造はその巻取り装置１がボトムレール２２に取り付けられており、且つ、その前記両端の少なくとも一端に該回転軸１１を回転するための回転ノブ３３が付設されており、また、前記案内手段としての案内孔１３３が前記囲い板１３２の上方寄りの箇所に形成されている以外、前記第１の実施形態例とはほぼ同様である。このような回転ノブ３３で前記回転軸１１を回転する構造は、子どもが垂れている操作コードに絡み付かれる危険性を避ける利点がある。
【００１７】
次に、図５と図６を参照しながら第２の実施形態例を説明する。該第２の実施形態例は、図示のように、前記巻取り装置１が前記第１の実施形態と同様にヘッドレール２１に取り付けられている。該第２の実施形態例において、前記昇降コード案内ブロック１３が前記後壁板部２１３に固定されている。また、ヘッドレール２１には前記止め板２３が設けられていなく、前記ねじ棒１２が前記回転軸１１にその長手方向に沿ってその全長を貫通されて該回転軸１１に左右摺動可能に支持され且つ該回転軸１１に対し回転不能に支持されていて前記回転軸１１と共に正反転することができる。なお、図５、図６についても、昇降コード下端のボトムレールは図示を省略している。
【００１８】
それにより、前記回転軸１１が回転されると、前記ねじ棒１２が該回転軸１１と共に回転しながら、前記昇降コード案内ブロック１３の雌ねじ付き通孔１３０を通して左右移動し、前記案内孔１３３を経由して前記昇降コード１４を前記ねじ棒１２に巻き取ったりそれから繰り出したりすることができる。
【産業上の利用可能性】
【００１９】
前記第１と第２の実施形態例それぞれの構造による巻取り装置付き横型カーテンは、いずれも、前記ねじ棒と前記昇降コード案内ブロックとが、前記ねじ棒が回転されるとその中の一つが他の一つに対し左右移動することができるように構成されているため、案内手段を経由して昇降コードを順次に巻き取ったり繰り出したりすることができるので、カーテン体をスムーズに昇降させることができ、即ち従来のようにカーテン体をスムーズに釈放することができない欠点を完全に解消することができる。
【００２０】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００２１】
【図１】本発明の巻取り装置付き横型カーテンの第１の実施形態例の部分破断斜視図。
【図２】前記第１の実施形態例の昇降コードを巻き取る前の状態を説明する部分破断前面図。
【図３】前記第１の実施形態例の昇降コードを巻き取っている時の動作説明図。
【図４】前記第１の実施形態例の他の実施態様の部分破断前面図。
【図５】本発明の巻取り装置付き横型カーテンの第２の実施形態例の部分破断前面図。
【図６】前記第２の実施形態例の昇降コードを巻き取っている時の動作説明図。
【符号の説明】
【００２２】
１      巻取り装置
１１    回転軸
１２    ねじ棒
１２１  環状溝
１３    昇降コード案内ブロック
１３０  雌ねじ付き通孔
１３１  立て板
１３２  囲い板
１３３  案内手段（案内孔）
１３４  平面
１３５  減摩手段
１４    昇降コード
２１    ヘッドレール
２１１  平板部
２１２  前壁板部
２１３  後壁板部
２２    ボトムレール
２３    止め板
２３１  上開口
３１    滑車
３２    操作コード
３３    回転ノブ
【図１】
2005146736.tif 000003
【図２】
2005146736.tif 000004
【図３】
2005146736.tif 000005
【図４】
2005146736.tif 000006
【図５】
2005146736.tif 000007
【図６】
2005146736.tif 000008